(57)【要約】【課題】  蒸発皿の着脱が容易であり、しかも蒸発皿とヒータとの密着性が向上する加湿装置を提供する。【解決手段】  加湿機能付き空気清浄機１は、蒸発皿１０と、ヒータ９とを備えている。蒸発皿１０は、水を貯留する。ヒータ９は、水を加熱する。蒸発皿１０には、底部が部分的に上方へ突出するように、テーパ形状を呈する凹部２７が形成されている。凹部２７は、奥へ行くにしたがって幅が狭くなっている。ヒータ９は、凹部のテーパ形状に対応するテーパ形状であって、先端へ行くにしたがって幅が狭くなるテーパ形状を呈する加熱面を有している。【選択図】      図２
2006046834.tif 000002
【特許請求の範囲】
【請求項１】
水を貯留する蒸発皿（１０）と、
前記水を加熱するヒータ（９）と、
を備え、
前記蒸発皿（１０）には、底部が部分的に上方へ突出するように、テーパ形状を呈する凹部（２７）が形成され、
前記凹部（２７）は、奥へ行くにしたがって幅が狭くなっており、
前記ヒータ（９）は、前記凹部（２７）のテーパ形状に対応するテーパ形状であって、先端へ行くにしたがって幅が狭くなるテーパ形状を呈する加熱面を有している、
加湿装置。
【請求項２】
前記ヒータ（９）を前記凹部（２７）へ挿入する方向の押圧力を前記ヒータ（９）に与える押圧体をさらに備える、
請求項１に記載の加湿装置。
【請求項３】
前記押圧体は、バネである、
請求項２に記載の加湿装置。
【請求項４】
前記押圧体は、板バネである、
請求項３に記載の加湿装置。
【請求項５】
前記ヒータ（９）を支持するヒータ支持台（３０）をさらに備え、
前記ヒータ支持台（３０）は、前記板バネを含んでいる、
請求項４に記載の加湿装置。
【請求項６】
前記ヒータ（９）を支持するヒータ支持台（２８）をさらに備え、
前記ヒータ（９）と前記ヒータ支持台（２８）との間には、前記ヒータ（９）を前記凹部（２７）へ挿入する方向に交差する方向への移動を許容する遊びが設けられている、
請求項１に記載の加湿装置。
【発明の詳細な説明】
【技術分野】
【０００１】
本発明は、加湿装置に関し、とくにヒータで水を沸騰させて空気の加湿を行う加湿装置に関する。
【背景技術】
【０００２】
従来より、マイカ式ヒータを有する加湿器として、特許文献１に記載されたものがある。この加湿器は、蒸発皿に貯留された水を、マイカ式ヒータを用いて沸騰させることによって、空気を加湿する。加湿された空気は、室内へ放散させたり、送風機などで強制的に排出することによって、室内の加湿に用いられる。
水の沸騰に用いられるマイカ式ヒータは、ヒータ線をプレート状のマイカで絶縁したヒータである。マイカ式ヒータは、ヒータ線をマイカで覆うことによって蒸発皿の外面と面接触することができる。従来では、マイカ式ヒータは、蒸発皿の底面または側面に密着させた状態で取り付けられている。
【特許文献１】特開２００２−１４７８０１号公報
【発明の開示】
【発明が解決しようとする課題】
【０００３】
しかし、従来のマイカ式ヒータを有する加湿器では、蒸発皿の底面または側面にマイカ式ヒータが密着して取り付けられているので、蒸発皿の掃除などのメンテナンス作業を行うために蒸発皿を着脱する場合に、蒸発皿の着脱作業がやりにくいという問題がある。
さらに、蒸発皿とヒータの加熱面との面接触する部分の精度を保つことが難しく、そのため、蒸発皿とヒータとの密着性を良好に保つのが難しいという問題がある。
【０００４】
本発明はこのような問題を解消するためになされたものであり、蒸発皿の着脱が容易であり、しかも蒸発皿とヒータとの密着性が向上する加湿装置を提供することを目的とする。
【課題を解決するための手段】
【０００５】
第１発明の加湿装置は、蒸発皿と、ヒータとを備えている。蒸発皿は、水を貯留する。ヒータは、水を加熱する。蒸発皿には、底部が部分的に上方へ突出するように、テーパ形状を呈する凹部が形成されている。凹部は、奥へ行くにしたがって幅が狭くなっている。ヒータは、凹部のテーパ形状に対応するテーパ形状であって、先端へ行くにしたがって幅が狭くなるテーパ形状を呈する加熱面を有している。
【０００６】
ここでは、蒸発皿の凹部は奥へ行くにしたがって幅が狭くなるテーパ形状を呈しており、一方、ヒータの加熱面は先端へ行くにしたがって幅が狭くなるテーパ形状を呈している。そのため、ヒータを蒸発皿の凹部へ挿入する方向へ挿入すれば、ヒータの加熱面と蒸発皿とを密着させることができる。したがって、ヒータの加熱面と蒸発皿との密着性は向上する。
【０００７】
さらに、蒸発皿の凹部は奥へ行くにしたがって幅が狭くなるテーパ形状を呈しており、一方、ヒータの加熱面は先端へ行くにしたがって幅が狭くなるテーパ形状を呈しているので、ヒータは蒸発皿の凹部に嵌合しやすい。したがって、蒸発皿の着脱を容易に行うことができる。
第２発明の加湿装置は、第１発明の加湿装置であって、押圧体をさらに備えている。押圧体は、ヒータを凹部へ挿入する方向の押圧力を、ヒータに与える。
【０００８】
ここでは、ヒータを押圧する押圧体を備えているので、ヒータを凹部へ挿入する方向の押圧力を、ヒータに与えることができる。その結果、ヒータの加熱面と蒸発皿との密着性は、より向上する。
第３発明の加湿装置は、第２発明の加湿装置であって、押圧体は、バネである。
ここでは、押圧体がバネであるので、バネによって、ヒータを凹部へ挿入する方向の押圧力を、ヒータに与えることができる。その結果、ヒータの加熱面と蒸発皿との密着性は、より向上する。
【０００９】
第４発明の加湿装置は、第３発明の加湿装置であって、押圧体は、板バネである。
ここでは、押圧体は、板バネであるので、板バネによって、ヒータを凹部へ挿入する方向の押圧力を、ヒータに与えることができる。その結果、ヒータの加熱面と蒸発皿との密着性は、より向上する。
第５発明の加湿装置は、第４発明の加湿装置であって、ヒータを支持するヒータ支持台をさらに備えている。ヒータ支持台は、板バネを含んでいる。
【００１０】
ここでは、ヒータを支持するヒータ支持台が板バネを含んでいるので、ヒータ支持台の一部である板バネによって、ヒータを凹部へ挿入する方向の押圧力を、ヒータに与えることができる。その結果、ヒータの加熱面と蒸発皿との密着性は、より向上する。
第６発明の加湿装置は、第１発明の加湿装置であって、ヒータを支持するヒータ支持台をさらに備えている。ヒータとヒータ支持台との間には、ヒータを凹部へ挿入する方向に交差する方向への移動を許容する遊びが設けられている。
【００１１】
ここでは、ヒータとヒータ支持台との間に遊びが設けられているので、ヒータは、凹部へ挿入する方向に交差する方向へ移動することができる。したがって、ヒータと蒸発皿との着脱をさらに容易に行うことができる。
【発明の効果】
【００１２】
第１発明によれば、蒸発皿の凹部およびヒータの加熱面がテーパ形状を呈しているため、ヒータの加熱面と蒸発皿との密着性を向上することができる。
さらに、蒸発皿の凹部およびヒータの加熱面がテーパ形状を呈しているため、蒸発皿の着脱を容易に行うことができる。
第２発明によれば、ヒータを凹部へ挿入する方向の押圧力を、ヒータに与えることができ、その結果、ヒータの加熱面と蒸発皿との密着性をより向上させることができる。
【００１３】
第３発明によれば、バネによって、ヒータを凹部へ挿入する方向の押圧力を、ヒータに与えることができ、その結果、ヒータの加熱面と蒸発皿との密着性をより向上させることができる。
第４発明によれば、板バネによって、ヒータを凹部へ挿入する方向の押圧力を、ヒータに与えることができ、その結果、ヒータの加熱面と蒸発皿との密着性をより向上させることができる。
【００１４】
第５発明によれば、ヒータ支持台の一部である板バネによって、ヒータを凹部へ挿入する方向の押圧力を、ヒータに与えることができ、その結果、ヒータの加熱面と蒸発皿との密着性をより向上させることができる。
また、板バネとヒータ支持台とが一体になっているので、板バネの位置決めが容易である。
【００１５】
第６発明によれば、ヒータとヒータ支持台との間に遊びが設けられているため、蒸発皿の着脱をさらに容易に行うことができる。たとえば、蒸発皿が傾斜して挿入されたり、または蒸発皿とヒータとの位置合わせが多少ずれていても、ヒータが凹部への挿入方向と交差する方向へ移動することができるので、蒸発皿の凹部とヒータとを容易に嵌合させることができる。
【発明を実施するための最良の形態】
【００１６】
［第１実施形態］
つぎに図面を参照しながら、本発明の加湿装置についてさらに詳細に説明する。図１は、本発明の第１実施形態に係わる加湿装置の一例である加湿機能付き空気清浄機の部分分解斜視図である。図２は、図１の加湿機能付き空気清浄機の縦断面図である。
＜全体構成＞
図１〜図２に示される加湿機能付き空気清浄機１は、室内の空気清浄および加湿を行うものであり、送風機２０と、空気清浄部２と、加湿部３とを備えている。この空気清浄機１は、ケース４の内部に、送風機２０、および空気清浄部２を構成するフィルタユニット２４（図３参照）が収納され、ケース４の背後には、加湿部３が取り付けられている。
＜送風機２０の構成＞
送風機２０は、図２に示されるように、ファン２１と、モータ２２とを備えている。送風機２０は、ケース４の内部の空間Ｓ１０の内部に配置されている。ファン２１は、遠心方向に風を吹き出すシロッコファンである。送風機２０で発生した遠心方向の風は、ファンケーシング（図示せず）を用いて上方へ案内して吹出口７からケース４の外部に排出される。
＜空気清浄部２の構成＞
空気清浄部２は、複数のフィルタなどによって構成されるフィルタユニット２４を備えている。
【００１７】
送風機２０によって発生された負圧により、空気清浄機１の前面を覆うフロントカバー５に開けられた開口またはスリット（図示せず）、およびフロントカバー５の周囲に形成された周囲吸気口６から、室内の空気が、空気清浄機１の内部に導入される。導入された空気は、フィルタユニット２４を通過することによって、清浄化される。
フィルタユニット２４は、図３に示されるように、プレフィルタ４１と、プラズマイオン化部およびストリーマ放電部を有する部材４２と、第１光触媒フィルタ４８と、マンガン触媒フィルタ４６とから構成されている。これらの各構成要素は、具体的には以下のように構成されている。
【００１８】
まず、フィルタユニット２４の最も前側には、比較的大きなホコリや塵を除去するためのプレフィルタ４１が配置されている。プレフィルタ４１としては、合成樹脂繊維などの防塵ネットを採用することができる。プレフィルタ４１の後方には、プラズマイオン化部およびストリーマ放電部を有する部材４２が配置されている。このプラズマイオン化部およびストリーマ放電部を有する部材４２は、プレフィルタ４１を通過してきた煙、粉塵、花粉、その他の汚れの粒子に強い電荷をかけて帯電させ、またストリーマ放電により発生される高速電子により臭気有害成分を強力に脱臭するものであり、後述する第１光触媒フィルタ４８等での粒子の捕集効率を高める。プラズマイオン化部およびストリーマ放電部を有する部材４２の後方には、第１光触媒フィルタ４８が配置されている。第１光触媒フィルタ４８は、プラズマイオン化部およびストリーマ放電部を有する部材４２で帯電させられた粒子を吸着するための静電フィルタ４３と、光触媒作用を有する酸化チタンを含む酸化チタンフィルタ４４とが積層されたものである。この第１光触媒フィルタ４８は、複数回分の長さを巻き込んだロール状とされており、使用中の面が汚れた場合に引き出して汚れた部分をカットするような構成になっている。第１光触媒フィルタ４８の後方には、マンガン触媒フィルタ４６が配置されている。
【００１９】
以上のように構成されたフィルタユニット２４を通過して清浄された空気は、送風機２０に吸引され、そののち、図１〜図２に示されるケース４の上部に設けられる吹出口７から上方に向けて室内に排出される。
＜加湿部３の構成＞
加湿部３は、図１〜図２に示されるように、ヒータ９と、蒸発皿１０とを主要部として備え、下部カバー８、背面カバー１８およびタンクカバー１７によって覆われている。ヒータ９は、下部カバー８の内部に取り付けられている。また、ヒータ９には、蒸発皿１０のテーパ形状の凹部２７が上方から嵌合されている。背面カバー１８は、蒸発皿１０をメンテナンスするときなどに取り外される。
【００２０】
ヒータ９の発熱部は、図４に示されるように、発熱体２５と、被覆部２６とから構成されている。発熱体２５は、シーズヒータからなる。被覆部２６は、発熱体２５を被覆するように、アルミニウムを用いたモールド成形により、テーパ形状に製造されている。
具体的には、ヒータ９の発熱部は、凹部２７のテーパ形状に対応するテーパ形状であって、先端へ行くにしたがって幅が狭くなるテーパ形状を呈する加熱面９ｂ、９ｃを有している。また、ヒータ９の先端側も平坦になっており、加熱面９ａが形成されている。
【００２１】
図４に示されるように、ヒータ９は、ヒータ支持台３１の上に支持されている。ヒータ９とヒータ支持台３１との間には、ヒータ９を凹部へ挿入する方向（すなわち、鉛直方向）と直交する方向Ｂ（すなわち、水平方向）への移動を許容する遊びが設けられている。
ここでは、遊びは、以下のようにして得られる。すなわち、ヒータ９とヒータ支持台３１とのあいだの連結部分において、ヒータ９またはヒータ支持台３１のうちの一方に長孔を形成するとともに他方に長孔の内部で移動可能な凸部を形成する。その場合、凸部が長孔の内部で相対的に移動することができる長さが、遊びとなる。
【００２２】
蒸発皿１０は、アルミニウムを用いたダイキャスト成形により製造された皿であり、水と接触する内面にはフッ素コーティングが施されている。
蒸発皿１０には、底部が部分的に上方へ突出するようにして、テーパ形状を呈する凹部２７が形成されている。凹部２７は、図４に示されるように、奥端部２７ａへ行くにしたがって凹部２７の幅（すなわち、側部２７ｂと側部２７ｃとの間隔）が狭くなっている。
【００２３】
また、図１に示されるように、蒸発皿１０は、Ｕ字形状を呈するパイプ１１を介して水受け部１２に接続されている。水受け部１２は、アルミニウムなどで製造される。水受け部１２の上部には、水を貯留する貯水タンク１６が給水部１６ａを下向きにして接続されている。蒸発皿１０と水受け部１２との水位を一定に保つようにパイプ１１によって接続されることにより、水位保持ユニット１３が構成されている。
【００２４】
さらに、図１〜図２に示されるように、蒸発皿１０の上部には、蒸発皿１０から発生する蒸気を受けるための蒸気カバー１４が設けられている。蒸気カバー１４の上部には、蒸気ノズル１５が接続されている。蒸気ノズル１５の上端部は、ケース４の裏板２８に形成された開口２９に接続されている。蒸気カバー１４に集められた蒸気は、蒸気ノズル１５を通って、ケース４の内部の空間Ｓ１０へ排出され、空間Ｓ１０の内部の空気とともに吹出口７から室内へ排出される。
【００２５】
また、蒸気ノズル１５の内部には、蒸気が蒸気カバー１４へ逆流するのを防ぐために、逆止弁１５ａ（図２参照）が設けられている。
＜加湿機能付き空気清浄機１の動作説明＞
図２に示されるように、送風機２０が作動すると、送風機２０によって発生する負圧の作用により、空気清浄機１の前面から室内の空気が吸引される。吸引された空気は、空気清浄部２のフィルタユニット２４を通過することによって、清浄化される。
【００２６】
清浄化された空気は、図２の矢印Ａ１によって示されるように、開口３０を通してファン２１の吸気口に吸い込まれ、ファン２１から遠心方向に吹き出される。そののち、ファン２１から吹き出された空気は、ファンケーシング（図示せず）を用いて上方へ案内され、空間Ｓ１０を通って、図２の矢印Ａ２によって示されるように、吹出口７からケース４の外部に排出される。
【００２７】
一方、加湿部３では、ヒータ９を用いて、蒸発皿１０に貯められた水Ｗを沸騰させて蒸気を発生させる。発生した蒸気は、蒸気カバー１４によって集められ、蒸気ノズル１５および開口２９を介して、ケース４の内部の空間Ｓ１０へ排出される。その後、蒸気は、空間Ｓ１０の内部の空気とともに吹出口７を通して室内へ排出され、室内の空気を加湿する。
＜第１実施形態の特徴＞
（１）
第１実施形態の加湿機能付き空気清浄機は、蒸発皿１０には、底部が部分的に上方へ突出するように、テーパ形状を呈する凹部２７が形成されている。凹部２７は、奥へ行くにしたがって幅が狭くなっている。また、ヒータ９は、凹部２７のテーパ形状に対応するテーパ形状であって、先端へ行くにしたがって幅が狭くなるテーパ形状を呈する加熱面９ａ、９ｂ、９ｃを有している。
【００２８】
すなわち、ヒータ９は、蒸発皿１０の凹部２７に対応する形状の加熱面９ａ、９ｂ、９ｃを有している。そのため、ヒータ９の加熱面９ａ、９ｂ、９ｃの面積を広く確保している。その結果、ヒータの熱効率が向上している。
しかも、凹部２７およびヒータ９がテーパ形状を呈しているので、凹部２７とヒータ９との接触面積を、より広く確保している。
【００２９】
さらに、ヒータ９の加熱面９ａ、９ｂ、９ｃの面積が広くなったことに関連して、ヒータ９の加熱部における水の加熱を行わない面（いわゆる、非加熱面）の面積は小さくなっている。したがって、非加熱面から熱の放出を防ぐための断熱材を省略するか、あるいは少なくなっている。それによって、断熱材に関するコストを省略あるいは低減している。
（２）
第１実施形態の加湿機能付き空気清浄機は、蒸発皿１０の凹部２７が奥へ行くにしたがって幅が狭くなるテーパ形状を呈しており、一方、ヒータ９の加熱面９ａ、９ｂ、９ｃが先端へ行くにしたがって幅が狭くなるテーパ形状を呈している。したがって、ヒータ９を蒸発皿１０の凹部２７へ挿入する方向へ押圧して、ヒータ９の加熱面９ａ、９ｂ、９ｃと蒸発皿１０とを密着させることができるようになっている。それによって、ヒータ９の加熱面９ａ、９ｂ、９ｃと蒸発皿１０との密着性は、向上している。
（３）
第１実施形態の加湿機能付き空気清浄機は、蒸発皿１０の凹部２７が奥へ行くにしたがって幅が狭くなるテーパ形状を呈しており、一方、ヒータ９の加熱面９ａ、９ｂ、９ｃが先端へ行くにしたがって幅が狭くなるテーパ形状を呈しているので、蒸発皿１０の着脱を容易に行うことができるようになっている。
（４）
第１実施形態の加湿機能付き空気清浄機は、ヒータ９とヒータ支持台３１との間に遊びを設けているため、ヒータ９は、ヒータ９を凹部２７へ挿入する方向に直交する方向へ移動することができる。したがって、蒸発皿１０の着脱をさらに容易に行うことができるようになっている。たとえば、蒸発皿１０が傾斜して挿入されたり、または蒸発皿１０とヒータ９との位置合わせが多少ずれていても、ヒータ９が凹部２７への挿入方向と直交する方向へ移動することができるので、蒸発皿１０の凹部２７とヒータ９とを容易に嵌合させることができるようになっている。
＜第１実施形態の変形例＞
（ａ）
第１実施形態では、ヒータ９の発熱体２５として、シーズヒータを例にあげて説明したが、本発明はこれに限定されるものではなく、他の発熱体、たとえば二重管ヒータ、カートリッジヒータなど種々のヒータを採用してもよい。
（ｂ）
第１実施形態では、加湿装置の一例として、加湿機能付き空気清浄機を例にあげて説明したが、本発明はこれに限定されるものではなく、ヒータで水を沸騰させて空気の加湿を行う加湿装置であれば、種々の態様の加湿装置に本発明を適用することが可能である。
（ｃ）
第１実施形態では、ヒータ９を凹部２７へ挿入する方向と直交する方向への移動を許容する遊びが設けられているが、本発明はこれに限定されるものではなく、ヒータ９を凹部２７へ挿入する方向と交差する方向への移動を許容する遊びを有していればよい。その場合でも、ヒータ９が凹部２７へ挿入する方向と交差する方向へ移動することによって、ヒータ９が固定されている場合と比較して蒸発皿１０の着脱をより容易に行うことができる。
［第２実施形態］
図５は、本発明の第２実施形態に係わるヒータが圧縮コイルバネによって蒸発皿の凹部へ挿入される方向へ押圧される状態を示す断面図である。なお、図５には、蒸発皿１０が凹部２７の延びる方向に沿って切断された状態が示されている。
＜全体構成＞
第２実施形態における空気清浄機は、第１実施形態における加湿機能付き空気清浄機１の構成とほぼ共通しており、圧縮コイルバネ３２を備えている点で異なっている。
【００３０】
なお、ヒータ９は、第１実施形態のヒータ９と共通の構成を有しており、テーパ形状を呈する加熱面９ａ、９ｂ、９ｃ（図４参照）を有している。
＜圧縮コイルバネ３２の構成＞
図５において、ヒータ９とヒータ支持台３３との間には、圧縮コイルバネ３２が設けられている。圧縮コイルバネ３２によって、ヒータ９を凹部２７へ挿入する方向の押圧力Ｃが、ヒータ９に与えられる。
＜第２実施形態の特徴＞
（１）
第２実施形態の加湿機能付き空気清浄機は、ヒータ９を押圧する圧縮コイルバネ３２を備えている。この圧縮コイルバネ３２によって、ヒータ９を凹部２７へ挿入する方向の押圧力Ｃを、ヒータ９に与えることができる。したがって、ヒータ９の加熱面９ａ、９ｂ、９ｃと蒸発皿１０との密着性は、より向上している。
＜第２実施形態の変形例＞
（ａ）
第２実施形態では、ヒータ９を押圧する押圧体として、圧縮コイルバネ３２を例にあげて説明しているが、本発明はこれに限定されるものではなく、ヒータ９を押圧できるものであれば他の押圧体を採用してもよい。したがって、圧縮コイルバネ３２以外の他の種類のバネを押圧体として採用してもよく、さらに他の態様の押圧体を採用してもよい。
［第３実施形態］
図６は、本発明の第３実施形態に係わるヒータがヒータ支持台の一部である板バネによって蒸発皿の凹部へ挿入される方向へ押圧される状態を示す断面図である。なお、図６には、蒸発皿１０が凹部２７の延びる方向に沿って切断された状態が示されている。
＜全体構成＞
第３実施形態における空気清浄機は、第１実施形態における加湿機能付き空気清浄機１の構成とほぼ共通しており、板バネ３５を含むヒータ支持台３４を備えている点で異なっている。
【００３１】
なお、ヒータ９は、第１実施形態のヒータ９と共通の構成を有しており、テーパ形状を呈する加熱面９ａ、９ｂ、９ｃ（図４参照）を有している。
＜ヒータ支持台３４の構成＞
図６において、ヒータ支持台３４は、板バネ３５を含んでいる。板バネ３５は、ヒータ支持台３４の上部を構成している。板バネ３５は、上方に張り出した状態で曲げられており、上下方向に若干変形することができる。板バネ３５によって、ヒータ９を凹部２７へ挿入する方向の押圧力Ｄが、ヒータ９に与えられる。
＜第３実施形態の特徴＞
（１）
第３実施形態の加湿機能付き空気清浄機は、ヒータ９を支持するヒータ支持台３４が板バネ３５を含んでいるので、ヒータ支持台３４の一部である板バネ３５によって、ヒータ９を凹部２７へ挿入する方向の押圧力Ｄを、ヒータ９に与えることができるようになっている。したがって、ヒータ９の加熱面９ａ、９ｂ、９ｃと蒸発皿１０との密着性は、より向上している。
＜第３実施形態の変形例＞
（ａ）
第３実施形態では、ヒータ支持台３４に含まれる板バネ３５を例にあげて説明しているが、本発明はこれに限定されるものではなく、板バネ３５がヒータ支持台３４と別体であってもよい。この場合も、ヒータ９を凹部２７へ挿入する方向の押圧力Ｄを、ヒータ９に与えることができ、それによってヒータ９の加熱面９ａ、９ｂ、９ｃと蒸発皿１０との密着性が、より向上している。
【図面の簡単な説明】
【００３２】
【図１】本発明の第１実施形態に係わる加湿装置の一例である加湿機能付き空気清浄機の部分分解斜視図。
【図２】図１の加湿機能付き空気清浄機の縦断面図。
【図３】図２のフィルタユニットの分解斜視図。
【図４】図２の蒸発皿およびヒータの断面図。
【図５】本発明の第２実施形態に係わるヒータが圧縮コイルバネによって蒸発皿の凹部へ挿入される方向へ押圧される状態を示す断面図。
【図６】本発明の第３実施形態に係わるヒータがヒータ支持台の一部である板バネによって蒸発皿の凹部へ挿入される方向へ押圧される状態を示す断面図。
【符号の説明】
【００３３】
１  加湿機能付き空気清浄機
２  空気清浄部
３  加湿部
９  ヒータ
１０  蒸発皿
２０  送風機
２７  凹部
３１  ヒータ支持台
３２  圧縮コイルバネ
３３  ヒータ支持台
３４  ヒータ支持台
３５  板バネ
【図１】
2006046834.tif 000003
【図２】
2006046834.tif 000004
【図３】
2006046834.tif 000005
【図４】
2006046834.tif 000006
【図５】
2006046834.tif 000007
【図６】
2006046834.tif 000008